(57)【特許請求の範囲】
【請求項１】
フック取付け対象に埋設される縦長の扁平なケースと、そのケースの前側開口部内に収容される状態から上部が外部に引き出される伏倒状態に起伏可能に支持されたフックからなり、
前記ケースの内部に、その内部空間をフック収容空間と、そのフック収容空間の背側上部に位置するばね収容空間とに仕切る隔壁を設け、前記フックには、収容状態における背面にスリットを設け、そのスリット内に扁平な薄肉厚のＬ形のばねガイドの下端部を挿入して連結ピンによりフックに回動自在に連結し、その連結ピンの位置を前記フックの回動中心の後側下部とし、前記ばねガイドの上部を前記隔壁の下端部に形成されたスリットからばね収容空間内に挿入し、前記ばね収容空間内には前記ばねガイドを下向きに付勢するコイルばねを組み込んだハンガーフック。
【発明の詳細な説明】
【技術分野】
【０００１】
この発明は、建造物の壁や車両の側壁パネル、衣類収容ケース等のフック取付け対象に埋め込まれ、フック取付け対象から外部に引き出されて伏倒状態とされるフックに衣類等を吊下げ支持するハンガーフックに関する。
【背景技術】
【０００２】
この種のハンガーフックとして、下記の特許文献１に記載されたものが従来から知られている。その特許文献１に記載されたハンガーフックにおいては、取付け対象としての壁面に埋め込まれる縦長のケース内にフックとしてのアームを収容し、そのアームの下端部を回動自在に支持して起伏可能とし、上部が外部に引き出される伏倒状態のアームに吊下げ物を掛け吊るようにしている。
【０００３】
また、不使用時にはキックばねによるばねの復元弾性によりフックをケース内に自動復帰させるようにしている。
【先行技術文献】
【特許文献】
【０００４】
【特許文献１】特開平１０−８５１１６号公報
【発明の概要】
【発明が解決しようとする課題】
【０００５】
ところで、特許文献１に記載されたハンガーフックにおいては、上記のように、不使用時にフックがケース内に自動復帰するため、フックが障害物にならないため、安全性に優れているという特徴を有しているが、フックを伏倒する使用状態で自動復帰用ばねが外部に露出する状態となるため、体裁のよい使用状態を得ることができない。
【０００６】
また、フックを自動復帰させるばねがコイル部の両端に接線方向に向けて係合片を設けたキックばねであり、そのキックばねの軸方向長さが長いため、フックに設けられたキックばね組込み用の一対のリブの対向部間に大きな間隔を設ける必要があり、フック自体の幅寸法が大きくなってハンガーフックが大型化するという問題もある。
【０００７】
この発明の課題は、体裁の優れた使用状態を得ることができる薄型のフック自動復帰タイプのハンガーフックを提供することである。
【課題を解決するための手段】
【０００８】
上記の課題を解決するために、この発明においては、フック取付け対象に埋設される縦長の扁平なケースと、そのケースの前側開口部内に収容される状態から上部が外部に引き出される伏倒状態に起伏可能に支持されたフックからなり、前記ケースの内部に、その内部空間をフック収容空間と、そのフック収容空間の背側上部に位置するばね収容空間とに仕切る隔壁を設け、前記フックには、収容状態における背面にスリットを設け、そのスリット内に扁平な薄肉厚のＬ形のばねガイドの下端部を挿入して連結ピンによりフックに回動自在に連結し、その連結ピンの位置を前記フックの回動中心の後側下部とし、前記ばねガイドの上部を前記隔壁の下端部に形成されたスリットからばね収容空間内に挿入し、前記ばね収容空間内には前記ばねガイドを下向きに付勢するコイルばねを組み込んだ構成を採用したのである。
【０００９】
上記の構成からなるハンガーフックにおいて、フックの下端部を押し込むと、フックが外方に向けて回動して傾斜状態となり、その傾斜状態のフックを伏倒方向に向けてさらに回動させ、伏倒状態とされたフックで衣類等の吊下げ物を吊下げ支持する。
【００１０】
ハンガーフックの上記のような使用状態において、コイルばねは隔壁によって隠蔽され、薄肉厚のばねガイドの下端部のみが外部に露出するのみであるため、体裁のよい使用状態を得ることができる。
【００１１】
ここで、フックの伏倒位置に向けての回動時、フックに対するばねガイドの連結部はフックの回動中心軸を中心にして上向きに回動し、その回動によりばねガイドが上昇してコイルばねが圧縮変形する。
【００１２】
このため、フックから吊下げ物を取り除くと、コイルばねの復元弾性によりばねガイドが押し下げられ、そのばねガイドからフックに復帰回転力が負荷されて、フックはケース内に自動復帰する。
【発明の効果】
【００１３】
この発明においては、上記のように、ケース内に隔壁を設けてケース内をフック収容空間とばね収容空間とに仕切り、そのばね収容空間内にコイルばねを組込み、そのコイルばねの弾性力を薄肉厚のばねガイドを介してフックに付与して、フックに自動復帰の復元力を付与するようにしたので、フックの使用状態で、コイルばねは隔壁により隠蔽されてばねガイドの下端部のみが外部に露出することになり、体裁の良い使用状態を得ることができる。
【００１４】
また、フックには薄肉厚のばねガイドが挿入されるスリットを形成するのみでよいため、フックに一対のリブを形成し、その一対のリブ間にキックばねを組み込むようにした従来のハンガーフックに比較して、フックの幅寸法を狭くすることができ、幅寸法の小さな薄型のハンガーフックを得ることができる。
【図面の簡単な説明】
【００１５】
【図１】この発明に係るハンガーフックの縦断面図
【図２】図１のII−II線に沿った断面図
【図３】図１に示すハンガーフックの斜視図
【図４】ハンガーフックの使用状態を示す縦断面図
【図５】図１に示すハンガーフックのケースを切欠して示す分解斜視図
【発明を実施するための形態】
【００１６】
以下、この発明の実施の形態を図面に基づいて説明する。図１乃至図３は、建造物の壁をフック取付け対象Ａとし、そのフック取付け対象Ａに形成されたケース収容凹部１内にこの発明に係るハンガーフック１０を取り付けた状態を示す。
【００１７】
ハンガーフック１０は、フック取付け対象Ａのケース収容凹部１内に嵌合されて埋め込みとされるケース１１を有する。ケース１１は扁平な角形をなし、前側部は開口部１２とされ、その開口部１２の外周に外向きにフランジ１３が形成されている。
【００１８】
また、ケース１１の背部には図５に示す裏板１４が取り付けられ、その裏板１４によってケース１１の背面開口が閉塞されている。
【００１９】
ケース１１の内部には隔壁１５が設けられ、その隔壁１５によってケース１１の内部空間はフック収容空間１６とばね収容空間１７とに仕切られて、上記フック収容空間１６の背側上部にばね収容空間１７が設けられている。
【００２０】
隔壁１５の背面には、図５に示すように角形の突出部１８が設けられ、その突出部１８および裏板１４に、図１に示すビス挿入孔１９が設けられている。ビス挿入孔１９にはビス２０が挿入されてフック取付け対象Ａのケース収容凹部１の閉塞面にねじ込まれ、そのビス２０の締め付けによってケース１１が固定される。
【００２１】
図１および図２に示すように、フック収容空間１６の対向する側壁、つまり、ケース１１の一対の側板１１ａの下端部間には支点ピン２１が渡され、その支点ピン２１の両端部が一対の側板１１ａで支持されている。一方、フック収容空間１６内にはフック２２が収容され、そのフック２２の下端部が上記支点ピン２１により支持され、上記支点ピン２１を中心にしてフック２２が起伏自在に支持されている。
【００２２】
ここで、フック２２の上部を外部に引き出して伏倒状態にすると、図４に示すように、フック２２の回動中心側の端部が隔壁１５の下面に当接する。その当接によりフック２２は伏倒状態で回り止めされてそれより下向きに回動するのが防止される。
【００２３】
フック２２には、フック収容空間１６内に収容される起立状態での背面上部に鉤部２３が設けられている。一方、隔壁１５の表面上部にはゴム等の弾性材からなるクッション材２４が設けられ、上記フック２２が後述するコイルばね３１の弾性によって起立状態に自動復帰した際、鉤部２３がクッション材２４に当接して、その当接時の衝撃がクッション材２４の弾性変形で緩衝される。
【００２４】
フック２２には、伏倒状態における上面の回動中心側の端部、換言すれば、起立状態における背面下部に、図１に示すように、支点ピン２１を中心とする半円形膨出部２５が設けれ、その膨出部２５の上部に連続してフック２２の上側部に至る傾斜部２６が設けられている。
【００２５】
膨出部２５および傾斜部２６には、膨出部２５の下端面から傾斜部２６の上側端に至るスリット２７が設けられ、そのスリット２７内に薄肉厚のばねガイド２８の下端部が挿入されている。
【００２６】
ばねガイド２８は、下端に屈曲部２８ａを有するＬ形をなし、上部には幅寸法の小さな挿入片部２８ｂが設けられている。ばねガイド２８は薄金属板のプレス成形品であってもよく、あるいは、硬質樹脂の成形品であってもよい。このばねガイド２８は、下端の屈曲部２８ａがスリット２７内に挿入され、その屈曲部２８ａが連結ピン２９を介してフック２２の膨出部２５に回動自在に連結されている。
【００２７】
このとき、屈曲部２８ａのフック２２に対する連結位置は、フック２２の回動中心となる支点ピン２１の後側下部とされ、フック収容空間１６内に収容されたフック２２を伏倒位置に向けて回動させた際、屈曲部２８ａをフック２２に連結する連結ピン２９が支点ピン２１を中心にして上向きに回動するようになっている。
【００２８】
ばねガイド２８の上端部は隔壁１５の下端部に形成されたスリット３０に挿入されて、挿入片部２８ｂがばね収容空間１７内に配置され、その挿入片部２８ｂにコイルばね３１の下端部が嵌合されている。
【００２９】
コイルばね３１は突出部１８によって上端部が受けられ、そのコイルばね３１によってばねガイド２８が下向きに付勢されていると共に、そのばねガイド２８を介してフック２２が起立する方向に向けて回動付勢されている。
【００３０】
図１に示すように、フック２２には、フック収容空間１６内に収容される起立状態での表面下部に山形の傾斜凸部３２が設けられ、その傾斜凸部３２を押し込むことによってフック２２が伏倒方向に向けて回動するようになっている。
【００３１】
実施の形態で示すハンガーフック１０は上記の構造からなり、図１は、コイルばね３１によってフック２２がフック収容空間１６内に収容された不使用状態を示す。
【００３２】
図１に示す不使用状態において、フック２２の表面下端部に設けられた傾斜凸部３２を同図の矢印で示すように斜め下向きに押し込むと、フック２２が伏倒位置に向けて下向きに回動し、図１の鎖線イで示すように、フック２２は傾斜状態とされる。その傾斜状態のフック２２を指先で摘み、下向きに回動すると、図４に示すように、回動中心側の端部２３ａが隔壁１５の下端部に当接してフック２２が伏倒状態とされ、その伏倒状態とされたフック２２で衣服等の吊下げ物を吊下げ支持することができる。
【００３３】
ここで、フック２２が図１に示す起立状態から図４に示す伏倒状態まで回動する回動時、連結ピン２９は支点ピン２１を中心に上向きに回動する。その回動によりばねガイド２８が押し上げられ、コイルばね３１が圧縮変形する。
【００３４】
このため、フック２２から吊下げ物を取り除くと、コイルばね３１の復元弾性により弾性力がばねガイド２８を介してフック２２の回動中心側の端部に負荷され、上記コイルばね３１によってフック２２は図１に示す起立状態に自動復帰する。
【００３５】
実施の形態に示すハンガーフックにおいては、ケース１１内に形成されたばね収容空間１７内に組み込まれたコイルばね３１の弾性力を薄肉厚のばねガイド２８を介してフック２２に付与して、フック２２に自動復帰の復元力を付与するようにしているため、図４に示すように、フック２２を伏倒して使用状態とすると、コイルばね３１は隔壁１５により隠蔽されて薄肉厚のばねガイド２８の下端部のみが外部に露出することになり、体裁の良い使用状態を得ることができる。
【００３６】
また、フック２２には薄肉厚のばねガイド２８が挿入されるスリット２７を形成するのみでよいため、フックに一対のリブを形成し、その一対のリブ間に自動復帰用のキックばねを組み込むようにした前述従来のハンガーフックに比較して、フック２２の幅寸法を狭くすることができ、幅寸法の小さな薄型のハンガーフックを得ることができる。
【符号の説明】
【００３７】
Ａ  フック取付け対象
１１  ケース
１５  隔壁
１６  フック収容空間
１７  ばね収容空間
２２  フック
２７  スリット
２８  ばねガイド
２９  連結ピン
３０  スリット
３１  コイルばね
【図１】
0006513477.tif 000002
【図２】
0006513477.tif 000003
【図３】
0006513477.tif 000004
【図４】
0006513477.tif 000005
【図５】
0006513477.tif 000006